(57)【要約】初期設定を容易に行うことができ、またエラーの解消方法を容易に知ることのできる印刷装置を実現する。初回電源投入に応答して自装置に初期設定すべき項目を示す初期設定項目データを記憶部に記憶しておき、この記憶されている初期設定項目データを印刷出力する。初期設定すべき内容を印刷出力するので、それに従って作業すれば、難解な説明書を読む必要がなく、初期設定作業効率を向上させることができる。また、自装置のエラー発生に応答してそのエラーを解消するための操作方法を示すエラー解消操作データを記憶部に記憶しておき、この記憶されているエラー解消操作データを印刷出力する。エラー解消操作方法が印刷出力されるので、それを参照することによって、発生したエラーを容易に解消できる。
2002081226.tif 000002
【特許請求の範囲】
【請求項１】
初回電源投入に応答して自装置に初期設定すべき項目を示す初期設定項目データを記憶する記憶手段と、前記記憶手段に記憶されている初期設定項目データを出力するデータ出力手段とを含むことを特徴とする印刷装置。
【請求項２】
自装置のエラー発生に応答して該エラーを解消するための操作方法を示すエラー解消操作データを記憶する記憶手段と、前記記憶手段に記憶されているエラー解消操作データを出力するデータ出力手段とを含むことを特徴とする印刷装置。
【請求項３】
前記データ出力手段は、発生した前記エラーが、前記記憶手段に記憶されているエラー解消操作データの内容によっては解消できないとき、該エラーの内容を示す情報を含む、ファクシミリ送信用メッセージを出力することを特徴とする請求の範囲第２項に記載の印刷装置。
【請求項４】
前記データ出力手段は、出力すべきデータを印刷出力することを特徴とする請求の範囲第１項乃至第３項のいずれか１項に記載の印刷装置。
【請求項５】
前記データ出力手段は、出力すべきデータを表示出力することを特徴とする請求の範囲第１項乃至第３項のいずれか１項に記載の印刷装置。
【請求項６】
前記データ出力手段は、出力すべきデータを音声出力することを特徴とする請求の範囲第１項乃至第３項のいずれか１項に記載の印刷装置。
【請求項７】
初回電源投入に応答した自装置に初期設定すべき項目を示す初期設定項目データを記憶する記憶ステップと、前記記憶ステップにおいて記憶された初期設定項目データを出力するデータ出力ステップとを含むことを特徴とする印刷装置の初期設定方法。
【請求項８】
前記データ出力ステップにおいては、出力すべきデータを印刷出力することを特徴とする請求の範囲第７項に記載の印刷装置の初期設定方法。
【請求項９】
前記データ出力ステップにおいては、出力すべきデータを表示出力することを特徴とする請求の範囲第７項に記載の印刷装置の初期設定方法。
【請求項１０】
前記データ出力ステップにおいては、出力すべきデータを音声出力することを特徴とする請求の範囲第７項に記載の印刷装置の初期設定方法。
【請求項１１】
自装置のエラー発生に応答して該エラーを解消するための操作方法を示すエラー解消操作データを記憶する記憶ステップと、前記記憶ステップにおいて記憶されたエラー解消操作データを出力するデータ出力ステップとを含むことを特徴とする印刷装置のエラー解消方法。
【請求項１２】
前記データ出力ステップにおいては、発生した前記エラーが、前記記憶ステップにおいて記憶されたエラー解消操作データの内容によっては解消できないとき、該エラーの内容を示す情報を含む、ファクシミリ送信用メッセージを出力することを特徴とする請求の範囲第１１項に記載の印刷装置のエラー解消方法。
【請求項１３】
前記データ出力ステップにおいては、出力すべきデータを印刷出力することを特徴とする請求の範囲第１１項又は第１２項に記載の印刷装置のエラー解消方法。
【請求項１４】
前記データ出力ステップにおいては、出力すべきデータを表示出力することを特徴とする請求の範囲第１１項又は第１２項に記載の印刷装置のエラー解消方法。
【請求項１５】
前記データ出力ステップにおいては、出力すべきデータを音声出力することを特徴とする請求の範囲第１１項又は第１２項に記載の印刷装置のエラー解消方法。
【請求項１６】
初回電源投入に応答して自装置に初期設定すべき項目を示す初期設定項目データを記憶する記憶ステップと、前記記憶ステップにおいて記憶された初期設定項目データを出力するデータ出力ステップとを含むことを特徴とする印刷装置の初期設定用プログラム。
【請求項１７】
前記データ出力ステップにおいては、出力すべきデータを印刷出力することを特徴とする請求の範囲第１６項に記載の印刷装置の初期設定用プログラム。
【請求項１８】
前記データ出力ステップにおいては、出力すべきデータを表示出力することを特徴とする請求の範囲第１６項に記載の印刷装置の初期設定用プログラム。
【請求項１９】
前記データ出力ステップにおいては、出力すべきデータを音声出力することを特徴とする請求の範囲第１６項に記載の印刷装置の初期設定用プログラム。
【請求項２０】
自装置のエラー発生に応答して該エラーを解消するための操作方法を示すエラー解消操作データを記憶する記憶ステップと、前記記憶ステップにおいて記憶されたエラー解消操作データを出力するデータ出力ステップとを含むことを特徴とする印刷装置のエラー解消用プログラム。
【請求項２１】
前記データ出力ステップにおいては、発生した前記エラーが、前記記憶ステップにおいて記憶されたエラー解消操作データの内容によっては解消できないとき、該エラーの内容を示す情報を含む、ファクシミリ送信用メッセージを出力することを特徴とする請求の範囲第２０項に記載の印刷装置のエラー解消用プログラム。
【請求項２２】
前記データ出力ステップにおいては、出力すべきデータを印刷出力することを特徴とする請求の範囲第２０項又は第２１項に記載の印刷装置のエラー解消用プログラム。
【請求項２３】
前記データ出力ステップにおいては、出力すべきデータを表示出力することを特徴とする請求の範囲第２０項又は第２１項に記載の印刷装置のエラー解消用プログラム。
【請求項２４】
前記データ出力ステップにおいては、出力すべきデータを音声出力することを特徴とする請求の範囲第２０項又は第２１項に記載の印刷装置のエラー解消用プログラム。
【発明の詳細な説明】
技術分野
本発明は印刷装置、印刷装置の初期設定方法、印刷装置の初期設定用プログラムに関し、特に印刷装置における初期設定及びエラー解除に関する。
背景技術
印刷装置の初期設定をする場合には、装置に添付されている説明書（マニュアル）等を参照し、その設定を行うのが一般的である。また、初期設定が完了し、印刷を行っている最中にエラーが発生した場合においても、説明書等を参照し、そのエラーを解除するのが一般的である。
しかしながら、説明書等は読みづらいことが多い。特に、参照すべきページを見つけるのに苦労することが多い。したがって、説明書等を参照して初期設定作業をするのは、苦痛である。このため、初期設定の作業効率が低下するという問題がある。
また、使用開始後、長期間経過した後にエラーが発生することがある。そのような場合、説明書自体を紛失したり廃棄していたりすることがある。その場合、説明書を参照できないので、販売業者やサービスセンターに電話やファクシミリで連絡をしてエラー解消方法を教えてもらうことになる。しかし、その場合、エラーの状態を相手にうまく伝えられず、適切なエラー解消方法を教えてもらえないこともある。
本発明は上述した従来技術の欠点を解決するためになされたものであり、その目的は初期設定を容易に行うことができ、またエラーの解消方法を容易に知ることのできる印刷装置、印刷装置の初期設定方法、印刷装置のエラー解消方法、印刷装置の初期設定用プログラム、印刷装置のエラー解消用プログラムを提供することである。
発明の開示
本発明の請求の範囲第１項に記載の印刷装置は、初回電源投入に応答して自装置に初期設定すべき項目を示す初期設定項目データを記憶する記憶手段と、前記記憶手段に記憶されている初期設定項目データを出力するデータ出力手段とを含むことを特徴とする。
本発明の請求の範囲第２項に記載の印刷装置は、自装置のエラー発生に応答して該エラーを解消するための操作方法を示すエラー解消操作データを記憶する記憶手段と、前記記憶手段に記憶されているエラー解消操作データを出力するデータ出力手段とを含むことを特徴とする。
本発明の請求の範囲第３項に記載の印刷装置は、請求の範囲第２項において、前記データ出力手段は、発生した前記エラーが、前記記憶手段に記憶されているエラー解消操作データの内容によっては解消できないとき、該エラーの内容を示す情報を含む、ファクシミリ送信用メッセージを出力することを特徴とする。
本発明の請求の範囲第４項に記載の印刷装置は、請求の範囲第１項乃至第３項のいずれか１項において、前記データ出力手段は、出力すべきデータを印刷出力することを特徴とする。
本発明の請求の範囲第５項に記載の印刷装置は、請求の範囲第１項乃至第３項のいずれか１項において、前記データ出力手段は、出力すべきデータを表示出力することを特徴とする。
本発明の請求の範囲第６項に記載の印刷装置は、請求の範囲第１項乃至第３項のいずれか１項において、前記データ出力手段は、出力すべきデータを音声出力することを特徴とする。
本発明の請求の範囲第７項に記載の印刷装置は、初回電源投入に応答して自装置に初期設定すべき項目を示す初期設定項目データを記憶する記憶ステップと、前記記憶ステップにおいて記憶された初期設定項目データを出力するデータ出力ステップとを含むことを特徴とする。
本発明の請求の範囲第８項に記載の印刷装置は、請求の範囲第７項において、前記データ出力手段は、出力すべきデータを印刷出力することを特徴とする。
本発明の請求の範囲第９項に記載の印刷装置は、請求の範囲第７項において、前記データ出力手段は、出力すべきデータを表示出力することを特徴とする。
本発明の請求の範囲第１０項に記載の印刷装置は、請求の範囲第７項において、前記データ出力ステップにおいては、出力すべきデータを音声出力することを特徴とする。
本発明の請求の範囲第１１項に記載の印刷装置のエラー解消方法は、自装置のエラー発生に応答して該エラーを解消するための操作方法を示すエラー解消操作データを記憶する記憶ステップと、前記記憶ステップにおいて記憶されたエラー解消操作データを出力するデータ出力ステップとを含むことを特徴とする。
本発明の請求の範囲第１２項に記載の印刷装置のエラー解消方法は、請求の範囲第１１項において、前記データ出力ステップにおいては、発生した前記エラーが、前記記憶ステップにおいて記憶されたエラー解消操作データの内容によっては解消できないとき、該エラーの内容を示す情報を含む、ファクシミリ送信用メッセージを出力することを特徴とする。
本発明の請求の範囲第１３項に記載の印刷装置のエラー解消方法は、請求の範囲第１１項又は第１２項において、前記データ出力ステップにおいては、出力すべきデータを印刷出力することを特徴とする。
本発明の請求の範囲第１４項に記載の印刷装置のエラー解消方法は、請求の範囲第１１項又は第１２項において、前記データ出力ステップにおいては、出力すべきデータを表示出力することを特徴とする。
本発明の請求の範囲第１５項に記載の印刷装置のエラー解消方法は、請求の範囲第１１項又は第１２項において、前記データ出力ステップにおいては、出力すべきデータを音声出力することを特徴とする。
本発明の請求の範囲第１６項に記載の印刷装置の初期設定用プログラムは、初回電源投入に応答して自装置に初期設定すべき項目を示す初期設定項目データを記憶する記憶ステップと、前記記憶ステップにおいて記憶された初期設定項目データを出力するデータ出力ステップとを含むことを特徴とする。
本発明の請求の範囲第１７項に記載の印刷装置の初期設定用プログラムは、請求の範囲第１６項において、前記データ出力ステップにおいては、出力すべきデータを印刷出力することを特徴とする。
本発明の請求の範囲第１８項に記載の印刷装置の初期設定用プログラムは、請求の範囲第１６項において、前記データ出力ステップにおいては、出力すべきデータを表示出力することを特徴とする。
本発明の請求の範囲第１９項に記載の印刷装置の初期設定用プログラムは、請求の範囲第１６項において、前記データ出力ステップにおいては、出力すべきデータを音声出力することを特徴とする。
本発明の請求の範囲第２０項に記載の印刷装置のエラー解消用プログラムは、自装置のエラー発生に応答して該エラーを解消するための操作方法を示すエラー解消操作データを記憶する記憶ステップと、前記記憶ステップにおいて記憶されたエラー解消操作データを出力するデータ出力ステップとを含むことを特徴とする。
本発明の請求の範囲第２１項に記載の印刷装置のエラー解消用プログラムは、請求の範囲第２０項において、前記データ出力ステップにおいては、発生した前記エラーが、前記記憶ステップにおいて記憶されたエラー解消操作データの内容によっては解消できないとき、該エラーの内容を示す情報を含む、ファクシミリ送信用メッセージを出力することを特徴とする。
本発明の請求の範囲第２２項に記載の印刷装置のエラー解消用プログラムは、請求の範囲第２０項又は第２１項において、前記データ出力ステップにおいては、出力すべきデータを印刷出力することを特徴とする。
本発明の請求の範囲第２３項に記載の印刷装置のエラー解消用プログラムは、請求の範囲第２０項又は第２１項において、前記データ出力ステップにおいては、出力すべきデータを表示出力することを特徴とする。
本発明の請求の範囲第２４項に記載の印刷装置のエラー解消用プログラムは、請求の範囲第２０項又は第２１項において、前記データ出力ステップにおいては、出力すべきデータを音声出力することを特徴とする。
発明を実施するための最良の形態
次に、図面を参照して本発明の実施の形態について説明する。
第１図は本発明による印刷装置の実施の一形態を示すブロック図である。同図に示されているように、本実施形態による印刷装置１は、図示せぬ印刷用紙等に印刷出力を行うプリント部１１と、各種のスイッチ等からなる操作部１２と、後述する設定内容等を記憶する記憶部１３と、外部とのインタフェースをなす無線部１４と、各部を制御する制御部１５とを含んで構成されている。なお、ここでは、無線ネットワークに接続され、アンテナ１６によって受信したデータを印刷する印刷装置について説明する。もっとも、有線ネットワークに接続される場合や、ネットワークに接続されず、単体のコンピュータと接続される場合であっても、本発明を適用できる。
以上の構成からなる本印刷装置の動作について、第２図、第３図を参照して説明する。
第２図は、本実施形態による印刷装置の初期設定作業手順を示すフローチャートである。同図において、印刷装置を設置した後、初期電源を投入すると（ステップＳ１００）、設定モードが開始される（ステップＳ１０１）。すると、まず操作パネルについての解説文が印刷される（ステップＳ１０２）。この解説文は、例えば、操作部における図示せぬスイッチの意味や操作方法等を示すものである。
続いて、設定モード１についての項目が印刷される（ステップＳ１０３）。この場合、インタフェースの選択、給紙選択、用紙サイズ、縮小印刷の可否、用紙方向について、印刷される（ステップＳ１０３）。以上の各項目について、印刷内容を参照しながら、ユーザーが設定作業を行う。すなわち、インタフェースの選択（ステップＳ１０４）、給紙選択（ステップＳ１０５）、用紙サイズ（ステップＳ１０６）、縮小印刷の可否（ステップＳ１０７）、用紙方向（ステップＳ１０８）についての設定が順に行われることになる。
以上の設定モード１の各項目について設定作業が終了すると、各項目についての設定が終了したか確認される（ステップＳ１０９）。未設定の項目がある場合は、再度設定作業がなされる（ステップＳ１０９→Ｓ１０４…）。全ての項目について設定が終了した場合は、設定値自体に問題がないか確認される（ステップＳ１０９→Ｓ１１０）。設定値に問題がある場合は、再度設定作業がなされる（ステップＳ１０９→Ｓ１０４…）。
設定値に問題がない場合は、ユーザーが確認ボタン操作等を行うことなどにより、設定モード１の設定内容を保存する（ステップＳ１１０→Ｓ１１１）。次に、設定モード２についての項目が印刷される（ステップＳ１１２）。この場合、プリンタモード（ステップＳ１１３）、コピー枚数（ステップＳ１１４）、トレイ用紙サイズ（ステップＳ１０５）、節電モード（ステップＳ１１６）、トナーセーブ設定（ステップＳ１０７）についての設定が行われることになる。
以上の設定モード２の各項目について設定作業が終了すると、各項目についての設定が終了したか確認される（ステップＳ１１８）。未設定の項目がある場合は、再度設定作業がなされる（ステップＳ１１８→Ｓ１１３…）。全ての項目について設定が終了した場合は、設定値自体に問題がないか確認される（ステップＳ１１８→Ｓ１１９）。設定値に問題がある場合は、再度設定作業がなされる（ステップＳ１１９→Ｓ１１３）。
設定値に問題がない場合は、ユーザーが確認ボタン操作等を行うこと等により、設定モード２の設定内容を保存する（ステップＳ１１９→Ｓ１２０）。次に、全設定値の内容を印刷する（ステップＳ１２１）。この設定内容をユーザーが確認し、設定項目全てに問題がなければ、ユーザーが確認ボタン操作等を行う。この操作により、設定モード１を保存し（ステップＳ１２３）、設定モード２を保存する（ステップＳ１２４）。一方、設定項目に問題があれば、ステップＳ１０４に戻って、設定作業を再度行う（ステップＳ１２２→Ｓ１０４）。
最後に、リセットを行う場合は、ハードウェアリセットを行い、設定作業を終了する（ステップＳ１２５→Ｓ１２６→Ｓ１２７）。リセットを行わない場合は、そのまま、設定作業を終了する（ステップＳ１２５→Ｓ１２７）。
以上のように、ユーザーは、印刷された内容を確認しながら初期設定作業を行うことができる。この際、説明書を参照する必要はなく、また作業効率を向上させることができる。なお、以上の例では、２つの設定モード１，２に分けて設定するようになっているが、より多くの数に分けて設定するようにしても良い。また、複数のモードに分ける必要はなく、要はユーザーが設定作業をし易いように予め決めておけば良い。
第３図は、本実施形態による印刷装置のエラー解消作業手順を示すフローチャートである。同図において、印刷装置は、ユーザーの手動によるエラーチェックの指示が無い場合は、データを待受け、印刷動作を行う（ステップＳ２０１→Ｓ２０２）。また、自動でエラーの有無をチェックし、エラーが無い場合は、以上の動作を繰返す（ステップＳ２０３→Ｓ２０１…）。
ステップＳ２０１においてユーザーの手動によるエラーチェックの指示があった場合、又は、ステップＳ２０３において自動でエラーの発生を検出した場合、以下のエラー処理に移行する。エラー処理においては、本例では、インク不足かどうか（ステップＳ２０４）、印刷結果にカスレがあるか（ステップＳ２０５）、ケーブルが未接続であるか（ステップＳ２０６）、通信エラーであるか（ステップＳ２０７）、それぞれ順にチェックされる。
このチェックの結果、インク不足である場合は、インクエラーメッセージを作成する（ステップＳ２０４→Ｓ２０８）。カスレがある場合は、ノズルエラーメッセージを作成する（ステップＳ２０５→Ｓ２０９）。ケーブルが未接続である場合は、ケーブルエラーメッセージを作成する（ステップＳ２０６→Ｓ２１０）。通信エラーである場合は、ノズルエラーメッセージを作成する（ステップＳ２０７→Ｓ２１１）。以上のいずれかのエラーについては、対応するエラーメッセージを印刷して処理を終了する（ステップＳ２１３）。ユーザーは、この印刷されたエラーメッセージの内容を見てエラー解消作業を行うことができる。この際、説明書を読まずに、エラーを解消することができる。
一方、以上のいずれにも該当しないエラーである場合は、機器固有情報、初期設定内容に関する設定情報、エラー情報、電話番号、ファクシミリ番号等を含むメッセージを作成する（ステップＳ２１２）。この場合、上記の各情報を含む、ファクシミリ用紙のフォーマットで、メッセージを作成する。この作成したメッセージを印刷して処理を終了する（ステップＳ２１３）。ユーザーは、この印刷されたエラーメッセージをファクシミリ送信するか、印刷されている電話番号に連絡して印刷内容を口頭で説明することによって、サービスセンターによる適切な処置を受けることができる。
以上の動作が行われることによって、第４図に示されているように、印刷出力動作が行われる。同図を参照すると、印刷装置１からは、上述したように、必要な情報、すなわち初期設定データやエラー解決方法に関する情報が印刷出力される。なお、同図において、印刷装置１には、アンテナ１６，操作部１２が設けられている。
ところで、以上説明した第２図及び第３図の例では、必要な情報を印刷出力している。この印刷出力する場合の他、液晶表示器等の表示器に、初期設定項目を表示したり、それらを音声で出力したりしても良い。この場合、記憶部１３に記憶されている初期設定項目データを出力する手段として、表示器や音声合成回路及びスピーカ等を設ければ良い。こうすれば、用紙等への印刷を行わずに、初期設定をすることができる。また、原則として印刷出力することとし、用紙切れや用紙つまり等の印刷出力できない場合にのみ、表示部へ表示したり、音声出力するようにしても良い。
さらに、エラー解消操作データについても同様である。すなわち、記憶部１３に記憶されているエラー解消操作データを出力する手段として、表示器や音声合成回路及びスピーカ等を設け、エラー解消操作データを表示したり、音声で出力しても良い。こうすれば、用紙等への印刷を行わずに、エラーを容易に解消できるし、エラーの状態をサービスセンター等に正確に伝えることができるので、用紙量の減少を防止できる。
なお、コンピュータ等の出力装置としてのプリンタ装置に本発明を適用できる他、複写機やファクシミリ送受信機等の印刷装置についても、本発明を適用できることは明らかである。
ところで、上述した印刷装置においては、以下のような方法が実現されていることになる。すなわち、第２図に示されている動作においては、初回電源投入に応答して自装置に初期設定すべき項目を示す初期設定項目データを記憶する記憶ステップと、この記憶ステップにおいて記憶された初期設定項目データを出力するデータ出力ステップとを含む、印刷装置の初期設定方法が実現されている。すなわち、初期設定すべき内容を出力するので、それに従って作業すれば、難解な説明書を読む必要がなく、初期設定作業効率を向上させることができる。
また、第３図に示されている動作においては、自装置のエラー発生に応答してそのエラーを解消するための操作方法を示すエラー解消操作データを記憶する記憶ステップと、この記憶ステップにおいて記憶されたエラー解消操作データを出力するデータ出力ステップとを含む、印刷装置のエラー解消方法が実現されている。すなわち、エラー解消操作方法が出力されるので、それを参照することによって、発生したエラーを容易に解消できる。
そして、発生した上記エラーが、上記記憶ステップにおいて記憶されたエラー解消操作データの内容によっては解消できないとき、そのエラーの内容を示す情報を含む、ファクシミリ送信用メッセージを出力する。これにより、簡単に解消できないエラーについては、そのエラーの状態を正確にサービスセンター等に伝えることができる。さらに、印刷出力することにより、マニュアルを読まずに初期設定でき、またエラーを解除できる。
なお、第２図、第３図に示されている動作を実現するためのプログラムを用意し、これによってコンピュータを制御すれば、上述と同様の動作を行うことができることは明白である。この記録媒体には、第１図中の記憶部１３を用いるか同図に示されていない半導体メモリ、磁気ディスク、光ディスク等の他、種々の記録媒体を用いることができる。
なお、以上の説明は、本発明の特定の実施形態に関するものであり、この技術分野の当業者であれば、本発明の種々の変形例を考え得るが、それらはいずれも本発明の技術的範囲に包含される。
産業上の利用の可能性
以上説明したように本発明は、初期設定すべき内容を出力することにより、それに従って作業すれば、難解な説明書を読む必要がなく、印刷装置の初期設定を容易に行うことができるという効果がある。また、エラー解消操作方法を出力することにより、それを参照すれば、難解な説明書を読む必要がなく、発生したエラーを容易に解消できるという効果がある。さらに、発生したエラーが、記憶されているエラー解消操作データの内容によっては解消できないとき、そのエラーの内容を示す情報を含むファクシミリ送信用メッセージを出力することにより、簡単に解消できないエラーについては、そのエラーの状態を正確にサービスセンター等に伝えることができる。なお、エラー解消操作データ等を印刷出力することにより、マニュアルを読まずに初期設定でき、またエラーを解除できるという効果がある。
【図面の簡単な説明】
第１図は本発明による印刷装置の実施の一形態を示すブロック図である。第２図は第１図の印刷装置の初期設定作業手順を示すフローチャートである。第３図は第１図の印刷装置のエラー解消作業手順を示すフローチャートである。第４図は本発明の印刷装置による印刷出力動作を示す概略図である。
【図１】
2002081226.tif 000003
【図２】
2002081226.tif 000004
【図３】
2002081226.tif 000005
【図４】
2002081226.tif 000006
【手続補正書】
【提出日】平成14年7月24日(2002.7.24)
【手続補正１】
【補正対象書類名】明細書
【補正対象項目名】特許請求の範囲
【補正方法】変更
【補正の内容】
【特許請求の範囲】
【請求項１】
初回電源投入に応答して自装置に初期設定すべき項目を示す初期設定項目データを記憶する記憶手段と、前記記憶手段に記憶されている初期設定項目データを出力するデータ出力手段とを含むことを特徴とする印刷装置。
【請求項２】
（補正後）  印刷処理に関して発生したエラーを解消するための操作方法を示すエラー解消操作データを記憶する記憶手段と、前記記憶手段に記憶されているエラー解消操作データを出力するデータ出力手段とを含むことを特徴とする印刷装置。
【請求項３】
削除
【請求項４】
削除
【請求項５】
削除
【請求項６】
削除
【請求項７】
初回電源投入に応答して自装置に初期設定すべき項目を示す初期設定項目データを記憶する記憶ステップと、前記記憶ステップにおいて記憶された初期設定項目データを出力するデータ出力ステップとを含むことを特徴とする印刷装置の初期設定方法。
【請求項８】
前記データ出力ステップにおいては、出力すべきデータを印刷出力することを特徴とする請求の範囲第７項に記載の印刷装置の初期設定方法。
【請求項９】
前記データ出力ステップにおいては、出力すべきデータを表示出力することを特徴とする請求の範囲第７項に記載の印刷装置の初期設定方法。
【請求項１０】
前記データ出力ステップにおいては、出力すべきデータを音声出力することを特徴とする請求の範囲第７項に記載の印刷装置の初期設定方法。
【請求項１１】
（補正後）  印刷処理に関して発生したエラーを解消するための操作方法を示すエラー解消操作データを記憶する記憶ステップと、前記記憶ステップにおいて記憶されたエラー解消操作データを出力するデータ出力ステップとを含むことを特徴とする印刷装置のエラー解消方法。
【請求項１２】
削除
【請求項１３】
削除
【請求項１４】
削除
【請求項１５】
削除
【請求項１６】
初回電源投入に応答して自装置に初期設定すべき項目を示す初期設定項目データを記憶する記憶ステップと、前記記憶ステップにおいて記憶された初期設定項目データを出力するデータ出力ステップとを含むことを特徴とする印刷装置の初期設定用プログラム。
【請求項１７】
前記データ出力ステップにおいては、出力すべきデータを印刷出力することを特徴とする請求の範囲第１６項に記載の印刷装置の初期設定用プログラム。
【請求項１８】
前記データ出力ステップにおいては、出力すべきデータを表示出力することを特徴とする請求の範囲第１６項に記載の印刷装置の初期設定用プログラム。
【請求項１９】
前記データ出力ステップにおいては、出力すべきデータを音声出力することを特徴とする請求の範囲第１６項に記載の印刷装置の初期設定用プログラム。
【請求項２０】
（補正後）  印刷処理に関して発生したエラーを解消するための操作方法を示すエラー解消操作データを記憶する記憶ステップと、前記記憶ステップにおいて記憶されたエラー解消操作データを出力するデータ出力ステップとを含むことを特徴とする印刷装置のエラー解消用プログラム。
【請求項２１】
削除
【請求項２２】
削除
【請求項２３】
削除
【請求項２４】
削除
【請求項２５】
（追加）  前記エラーは、自装置において発生したエラーであることを特徴とする請求の範囲第２項に記載の印刷装置。
【請求項２６】
（追加）  前記エラーは、自装置が接続されるネットワークとの通信エラーであることを特徴とする請求の範囲第２項に記載の印刷装置。
【請求項２７】
（追加）  前記エラーは、該印刷装置において発生したエラーであることを特徴とする請求の範囲第１１項に記載の印刷装置のエラー解消方法。
【請求項２８】
（追加）  前記エラーは、該印刷装置が接続されるネットワークとの通信エラーであることを特徴とする請求の範囲第１１項に記載の印刷装置のエラー解消方法。
【請求項２９】
（追加）  前記エラーは、該印刷装置において発生したエラーであることを特徴とする請求の範囲第２０項に記載の印刷装置のエラー解消用プログラム。
【請求項３０】
（追加）  前記エラーは、該印刷装置が接続されるネットワークとの通信エラーであることを特徴とする請求の範囲第２０項に記載の印刷装置のエラー解消用プログラム。
【請求項３１】
（追加）  前記データ出力手段は、発生した前記エラーが、前記記憶手段に記憶されているエラー解消操作データの内容によっては解消できないとき、該エラーの内容を示す情報を含む、ファクシミリ送信用メッセージを出力することを特徴とする請求の範囲第２項、第２５項及び第２６項のいずれか１項に記載の印刷装置。
【請求項３２】
（追加）  前記データ出力手段は、出力すべきデータを印刷出力することを特徴とする請求の範囲第１項乃至第３項、第２５項及び第２６項のいずれか１項に記載の印刷装置。
【請求項３３】
（追加）  前記データ出力手段は、出力すべきデータを表示出力することを特徴とする請求の範囲第１項乃至第３項、第２５項及び第２６項のいずれか１項に記載の印刷装置。
【請求項３４】
（追加）  前記データ出力手段は、出力すべきデータを音声出力することを特徴とする請求の範囲第１項乃至第３項、第２５項及び第２６項のいずれか１項に記載の印刷装置。
【請求項３５】
（追加）  前記データ出力ステップにおいては、発生した前記エラーが、前記記憶ステップにおいて記憶されたエラー解消操作データの内容によっては解消できないとき、該エラーの内容を示す情報を含む、ファクシミリ送信用メッセージを出力することを特徴とする請求の範囲第１１項、第２７項及び第２８項のいずれか１項に記載の印刷装置のエラー解消方法。
【請求項３６】
（追加）  前記データ出力ステップにおいては、出力すべきデータを印刷出力することを特徴とする請求の範囲第１１項、第１２項、第２７項及び第２８項のいずれか１項に記載の印刷装置のエラー解消方法。
【請求項３７】
（追加）  前記データ出力ステップにおいては、出力すべきデータを表示出力することを特徴とする請求の範囲第１１項、第１２項、第２７項及び第２８項のいずれか１項に記載の印刷装置のエラー解消方法。
【請求項３８】
（追加）  前記データ出力ステップにおいては、出力すべきデータを音声出力することを特徴とする請求の範囲第１１項、第１２項、第２７項及び第２８項のいずれか１項に記載の印刷装置のエラー解消方法。
【請求項３９】
（追加）  前記データ出力ステップにおいては、発生した前記エラーが、前記記憶ステップにおいて記憶されたエラー解消操作データの内容によっては解消できないとき、該エラーの内容を示す情報を含む、ファクシミリ送信用メッセージを出力することを特徴とする請求の範囲第２０項、第２９項及び第３０項のいずれか１項に記載の印刷装置のエラー解消用プログラム。
【請求項４０】
（追加）  前記データ出力ステップにおいては、出力すべきデータを印刷出力することを特徴とする請求の範囲第２０項、第２１項、第２９項及び第３０項のいずれか１項に記載の印刷装置のエラー解消用プログラム。
【請求項４１】
（追加）  前記データ出力ステップにおいては、出力すべきデータを表示出力することを特徴とする請求の範囲第２０項、第２１項、第２９項及び第３０項のいずれか１項に記載の印刷装置のエラー解消用プログラム。
【請求項４２】
（追加）  前記データ出力ステップにおいては、出力すべきデータを音声出力することを特徴とする請求の範囲第２０項、第２１項、第２９項及び第３０項のいずれか１項に記載の印刷装置のエラー解消用プログラム。
【国際調査報告】
2002081226.tif 000007
2002081226.tif 000008
2002081226.tif 000009
2002081226.tif 000010
2002081226.tif 000011
2002081226.tif 000012